(57)【要約】    【課題】居室親機からの操作により当該居室親機のモニタに、集合玄関等に設置された複数のカメラで撮像される映像を順次切り換えて所望の映像のみを表示する。    【解決手段】集合玄関に設置され集合玄関カメラＥＳＣを有する集合玄関機４と、集合玄関に設置され来訪者を集合玄関カメラと異なる位置から撮像するための監視カメラＳＣと、集合玄関から呼び出しを受けた状態においてモニタに表示する各カメラからの映像を切り替えるためのカメラ切替ボタン１３を有する居室親機１と、集合玄関機、監視カメラ、居室親機が接続される制御機３とを備え、制御機は、居室親機のカメラ切替ボタンの操作により動作する集合玄関カメラ、監視カメラの定められたカメラ組合せを予め記憶するためのカメラ組合せテーブルＴＡ１と、集合玄関機からの呼出時に、居室親機のカメラ切替ボタンが操作されるとカメラ組合せテーブルに基づいて集合玄関カメラおよび監視カメラを順次切り替えて動作させる制御を行なうための制御機ＣＰＵ３１とを備えている。    【選択図】図１
2005109804.tif 000002
【特許請求の範囲】
【請求項１】
集合玄関に一台以上設置され来訪者が居住者を呼び出すための呼出部（４４）、居住者と通話を行なうための集合玄関通話部（４１、４２）、前記来訪者を撮像するための集合玄関カメラ（ＥＳＣ１、ＥＳＣ２、ＥＳＣ３、・・・）を有する集合玄関機（４ａ、４ｂ、４ｃ、・・・）と、前記集合玄関に一台以上設置され来訪者を前記集合玄関カメラと異なる位置から撮像するための監視カメラ（ＳＣ１、ＳＣ２、ＳＣ３、・・・）と、前記集合玄関機からの呼び出しを報知するとともに前記来訪者と通話するための居室通話部（１１）、前記集合玄関カメラまたは前記監視カメラで撮像した映像を表示するモニタ（１２）、前記集合玄関から呼び出しを受けた状態において前記モニタに表示する映像を前記集合玄関カメラを前記監視カメラに又はその逆に切り替えるためのカメラ切替ボタン（１３）を有する複数の居室親機（１ａ、１ｂ、１ｃ、・・・）と、前記集合玄関機、前記監視カメラ、前記居室親機が接続されそれぞれ制御するための制御機（３）とを備え、
前記制御機は、前記集合玄関カメラ、前記監視カメラのうち前記居室親機の前記カメラ切替ボタンの操作により動作する集合玄関カメラ、監視カメラの定められたカメラ組合せを予め記憶するためのカメラ組合せテーブル（ＴＡ１）と、前記集合玄関機からの呼出時に、前記居室親機の前記カメラ切替ボタンが操作されると前記カメラ組合せテーブルに基づいて前記集合玄関カメラおよび前記監視カメラを順次切り替えて動作させる制御を行なうための制御機ＣＰＵ（３１）とを備えたことを特徴とする集合住宅インターホンシステム。
【請求項２】
前記カメラ組合せテーブルは、前記集合玄関機からの呼出時に、前記集合玄関カメラ、前記監視カメラの順に切り替わるように作成されるものであることを特徴とする請求項１記載の集合住宅インターホンシステム。
【請求項３】
前記制御機には、ごみ収集所、駐車場等の共用部に設置され前記居室親機の操作により前記モニタに映像を出画する共用部カメラ（ＣＡＣ１）が接続され、前記共用部カメラが動作中に前記集合玄関機から呼び出しがあった場合には前記共用部カメラを強制的に切断すると共に、前記カメラ組合せテーブルに基づいて動作させるものであることを特徴とする請求項１または請求項２記載の集合住宅インターホンシステム。
【請求項４】
前記制御機には、前記カメラ組合せテーブルの内容を設定、変更するためのパーソナルコンピュータ（７）を接続することを特徴とする請求項１乃至請求項３何れか１項記載の集合住宅インターホンシステム。
【請求項５】
前記カメラ組合せテーブルは、前記集合玄関カメラ、前記監視カメラの設置数に対応できるように複数のテーブルを有し、前記制御機には、前記複数のテーブルのうち一つを選択するためのディップスイッチ（３２）を備えたことを特徴とする請求項１乃至請求項４何れか１項記載の集合住宅インターホンシステム。
【発明の詳細な説明】
【技術分野】
【０００１】
本発明は集合住宅インターホンシステムに係り、特に居室親機からの操作により当該居室親機のモニタに、集合玄関やエントランス等に設置されたカメラで撮像される映像を順次切り換えて所望の映像のみを表示するための集合住宅インターホンシステムに関する。
【背景技術】
【０００２】
従来から、１つのカメラ付集合玄関機と居室親機との間で通話及び映像伝送が成立中においても、他のカメラ付集合玄関機と居室親機との間で通話及び映像伝送を可能とする集合住宅用テレビインターホン装置が開示されている（例えば、特許文献１参照。）。
【０００３】
この集合住宅用テレビインターホン装置は、複数のカメラ付集合玄関機うち何れか１台のカメラ付集合玄関機の選局テンキーボタンで居室選局アドレスを生成し、呼出ボタンで呼出信号を送出すると、制御回路がそのカメラ付集合玄関機の集合玄関ＩＤ及び居室選局アドレスによりカメラ選択スイッチを制御して選択した居室モニタに接続される映像信号伝送ラインに映像信号を伝送し、また、その集合玄関ＩＤ及び居室選局アドレスにより通話ライン切替スイッチを制御してそのカメラ付集合玄関機と居室親機との通話路を形成することができる。このような集合住宅用テレビインターホン装置によれば、あるカメラ付集合玄関機と居室親機との間で通話及びモニタの動作が成立中でも、同時に他のカメラ付集合玄関機と居室親機との間で通話及びモニタの動作が可能になる。
【０００４】
【特許文献１】特開平１０−２４３１１４号公報
【発明の開示】
【発明が解決しようとする課題】
【０００５】
背景技術に記載した特許文献１に開示された集合住宅インターホンシステムは、カメラ付集合玄関機が複数接続可能であっても、１つの居室モニタに出画する映像は特定の１つのカメラ付集合玄関機からの映像しか出画することができなかった。
【課題を解決するための手段】
【０００６】
本発明の第１の態様である集合住宅インターホンシステムは、集合玄関に一台以上設置され来訪者が居住者を呼び出すための呼出部、居住者と通話を行なうための集合玄関通話部、来訪者を撮像するための集合玄関カメラを有する集合玄関機と、集合玄関に一台以上設置され来訪者を集合玄関カメラと異なる位置から撮像するための監視カメラと、集合玄関機からの呼び出しを報知するとともに来訪者と通話するための居室通話部、集合玄関カメラまたは監視カメラで撮像した映像を表示するモニタ、集合玄関から呼び出しを受けた状態においてモニタに表示する映像を集合玄関カメラを監視カメラに又はその逆に切り替えるためのカメラ切替ボタンを有する複数の居室親機と、集合玄関機、監視カメラ、居室親機が接続されそれぞれ制御するための制御機とを備え、制御機は、集合玄関カメラ、監視カメラのうち居室親機のカメラ切替ボタンの操作により動作する集合玄関カメラ、監視カメラの定められたカメラ組合せを予め記憶するためのカメラ組合せテーブルと、集合玄関機からの呼出時に、居室親機のカメラ切替ボタンが操作されるとカメラ組合せテーブルに基づいて集合玄関カメラおよび監視カメラを順次切り替えて動作させる制御を行なうための制御機ＣＰＵとを備えたものである。
【０００７】
本発明の第２の態様は第１の態様である集合住宅インターホンシステムにおいて、カメラ組合せテーブルは、集合玄関機からの呼出時に、集合玄関カメラ、監視カメラの順に切り替わるように作成されるものである。
【０００８】
本発明の第３の態様は第１の態様又は第２の態様である集合住宅インターホンシステムにおいて、制御機には、ごみ収集所、駐車場等の共用部に設置され居室親機の操作によりモニタに映像を出画する共用部カメラが接続され、共用部カメラが動作中に集合玄関機から呼び出しがあった場合には共用部カメラを強制的に切断すると共に、カメラ組合せテーブルに基づいて動作させるものである。
【０００９】
本発明の第４の態様は第１乃至第３の各態様の集合住宅インターホンシステムにおいて、制御機には、カメラ組合せテーブルの内容を設定、変更するためのパーソナルコンピュータを接続するものである。
【００１０】
本発明の第５の態様は第１乃至第４の各態様の集合住宅インターホンシステムにおいて、カメラ組合せテーブルは、集合玄関カメラ、監視カメラの設置数に対応できるように複数のテーブルを有し、制御機には、複数のテーブルのうち一つを選択するためのディップスイッチを備えたものである。
【発明の効果】
【００１１】
以上、説明したように、本発明の集合住宅インターホンシステムによれば、居室親機のカメラ切替ボタンを操作して複数の集合玄関カメラ及び監視カメラの組み合わせのうち何れか１組を選択すれば、予め設定したカメラ組合せテーブルに基づいてその集合玄関カメラ及び監視カメラで撮像された各映像を順次切り替えてその居室親機のモニタに表示することができるので、住戸内の居住者は所望の映像のみを自由に表示させることができる。
【発明を実施するための最良の形態】
【００１２】
以下、本発明の集合住宅インターホンシステムを実施するための最良の形態例について、図面を参照して説明する。
【００１３】
本発明を実施するための最良の一形態である集合住宅インターホンシステムは図１に示すように、集合住宅の集合玄関に設置される一台以上の集合玄関機４ａ、４ｂ、４ｃ、・・・及び監視カメラＳＣ１、ＳＣ２、ＳＣ３、・・・と、集合住宅の各住戸内に設置される複数の居室親機１ａ、１ｂ、１ｃ、・・・と、集合住宅の住戸玄関に設置される複数の玄関子機２ａ、２ｂ、２ｃ、・・・と、ごみ収集所、駐車場等の共用部に設置される共用部カメラＣＡＣ１と、各集合玄関機４ａ、４ｂ、４ｃ、・・・、各監視カメラＳＣ１、ＳＣ２、ＳＣ３、・・・、各居室親機１ａ、１ｂ、１ｃ、・・・及び共用部カメラＣＡＣ１を制御するための制御機３とを備えている。
【００１４】
この制御機３は、第１の伝送路Ｌ１を介して集合玄関機４ａに、第２の伝送路Ｌ２を介して集合玄関機４ｂに、第３の伝送路Ｌ３を介して集合玄関機４ｃに、第５の伝送路Ｌ５を介して共用部カメラＣＡＣ１に、第６の伝送路Ｌ６を介して監視カメラＳＣ３に、第７の伝送路Ｌ７を介して監視カメラＳＣ２に、第８の伝送路Ｌ８を介して監視カメラＳＣ１に、第１０の伝送路Ｌ１０を介して居室親機１ａ、１ｂ、１ｃにそれぞれ接続されている。なお、集合玄関機、監視カメラ、居室親機はそれぞれ３台以上が制御機３に接続されているが、図１中においては便宜上、４台以上は省略している。また、各居室親機１ａ、１ｂ、１ｃ、・・・には、それぞれ第１１の伝送路Ｌ１１を介して対応する複数の玄関子機２ａ、２ｂ、２ｃ、・・・が接続されている。このような伝送路Ｌ１〜Ｌ３、Ｌ６〜Ｌ８、Ｌ１０、Ｌ１１は、それぞれ通話信号伝送路及び映像信号伝送路から成るペア線で構成されている。
【００１５】
各集合玄関機４ａ、４ｂ、４ｃ、・・・は、それぞれ同様の構成とされ、来訪者が居住者を呼び出すためのテンキーや呼出ボタンから成りタッチパネルで構成された呼出部４４と、居住者と通話を行なうための集合玄関通話部である集合玄関マイク４１及び集合玄関スピーカ４２と、タッチパネルで構成された呼出部４４を有するモニタ４３とを備え、さらに、それぞれの集合玄関機４ａ、４ｂ、４ｃ、・・・には、来訪者を撮像するための集合玄関カメラＥＳＣ１、ＥＳＣ２、ＥＳＣ３、・・・が組み込まれている。なお、呼出部４４は、本実施例においてはタッチパネルを採用しているが、スイッチなどの機械的なものでもよい。また、この集合玄関機と同様に集合玄関に設置された各監視カメラＳＣ１、ＳＣ２、ＳＣ３、・・・は、来訪者を集合玄関機カメラと異なる位置から撮像するためのものである。
【００１６】
各居室親機１ａ、１ｂ、１ｃ、・・・は、それぞれ同様の構成とされ、集合玄関機４からの呼び出しを報知すると共に来訪者と通話するための居室通話部であるハンドセット１１と、集合玄関カメラＥＳＣ１、ＥＳＣ２、ＥＳＣ３、・・・、監視カメラＳＣ１、ＳＣ２、ＳＣ３、・・・又は共用部カメラＣＡＣ１で撮像した映像を表示するモニタ１２と、集合玄関の集合玄関機４ａ、４ｂ、４ｃ、・・・から呼び出しを受けた状態においてモニタ１２に表示する映像を集合玄関カメラＥＳＣ１、ＥＳＣ２、ＥＳＣ３、・・・、から監視カメラＳＣ１、ＳＣ２、ＳＣ３、・・・に又はその逆に切り替えるためのカメラ切替ボタン１３とを備えている。なお、カメラ切替ボタン１３は、本実施例においてはモニタ１２に備えられるタッチパネルを採用しているが、スイッチなどの機械的なものでもよい。また、居室通話部はハンドセットではなく、筐体に直接、マイク、スピーカが設けられたハンズフリーのものでもよい。
【００１７】
制御機３は、各集合玄関カメラＥＳＣ１、ＥＳＣ２、ＥＳＣ３、・・・、各監視カメラＳＣ１、ＳＣ２、ＳＣ３、・・・のうち居室親機１のカメラ切替ボタン１３の操作により動作する集合玄関カメラＥＳＣ１、ＥＳＣ２、ＥＳＣ３、・・・、監視カメラＳＣ１、ＳＣ２、ＳＣ３、・・・の定められたカメラ組合せを予め記憶するためのカメラ組合せテーブルＴＡ１と、何れかの集合玄関機４からの呼出時に、呼び出された居室親機１のカメラ切替ボタン１３が操作されるとカメラ組合せテーブルＴＡ１に基づいてその集合玄関機４が設置された集合玄関の集合玄関カメラＥＳＣ１、ＥＳＣ２、ＥＳＣ３、・・・および監視カメラＳＣ１、ＳＣ２、ＳＣ３、・・・を順次切り替えて動作させる制御を行なうための制御機ＣＰＵ３１とを備えている。これにより、居室親機１のカメラ切替ボタン１３を操作すれば、予め設定したカメラ組合せテーブルＴＡ１に基づいて集合玄関カメラＥＳＣ１、ＥＳＣ２、ＥＳＣ３、・・・および監視カメラＳＣ１、ＳＣ２、ＳＣ３、・・・からの映像を順次切り替えて映像を表示させることができるので、住戸内の居住者は所望の映像のみを自由に表示させることができる。
【００１８】
また、このカメラ組合せテーブルＴＡ１は、集合玄関機４ａ、４ｂ、４ｃ、・・・からの呼出時に、集合玄関カメラＥＳＣ１、ＥＳＣ２、ＥＳＣ３、・・・、監視カメラＳＣ１、ＳＣ２、ＳＣ３、・・・の順に切り替わるように作成される。これにより、先に集合玄関で呼び出し操作をした人物の正面からの映像を映し出すことができるので、来訪者を特定し易くなる。
【００１９】
また、カメラ組合せテーブルＴＡ１は、各集合玄関機４ａ、４ｂ、４ｃ、・・・、各監視カメラＳＣ１、ＳＣ２、ＳＣ３、・・・の設置数に対応できるように複数のテーブルを有している。この複数のテーブルのうち一つを選択するために、制御機３にはディップスイッチ３２を備えている。これにより、カメラ組合せテーブルにはカメラの設置台数に応じて複数のカメラ切替パターンを記憶させることができ、而もディップスイッチ３２によって容易にそのパターンの変更ができるようにしているので、あらゆるカメラ切替パターンの変更に対応可能になる。
【００２０】
このような制御機３は、接続されている第５の伝送路Ｌ５を介して接続されている共用部カメラＣＡＣ１が動作中に集合玄関機４から呼び出しがあった場合には共用部カメラＣＡＣ１を強制的に切断すると共に、カメラ組合せテーブルＴＡ１に基づいて動作させる機能を有している。これにより、居住者は共用部の監視ができると共に、集合玄関機４からの呼び出しがなされた場合は優先的に居室親機１への呼び出しができるようにしているので、来訪者を待たせずに済むようになる。
【００２１】
また、制御機３には、カメラ組合せテーブルＴＡ１の内容を設定、変更するためのパーソナルコンピュータ７を接続してもよい。これにより、ＣＰＵのデータ書き換えの際、カメラ組合せテーブルをいちいち変える必要がなくなるので、カメラ台数や組み合せを変更する場合においても作業時間の短縮が図れる。
【００２２】
このように構成された集合住宅インターホンシステムの動作について説明する。
【００２３】
まず、本実施例の動作説明においては、制御機３に接続できるカメラの全台数は８台とする。制御機３には図１において、集合玄関カメラＥＳＣ１、ＥＳＣ２、ＥＳＣ３を有する集合玄関機は４ａ、４ｂ、４ｃの３台、居室親機は１ａ、１ｂ、１ｃの３台、監視カメラはＳＣ１、ＳＣ２、ＳＣ３の３台、共用部カメラはＣＡＣ１の１台が接続されているものとする。
【００２４】
この制御機３が備えているカメラ組合せテーブルＴＡ１は、このようなカメラの組み合わせの場合、集合玄関カメラＥＳＣ１、ＥＳＣ２、ＥＳＣ３と監視カメラＳＣ１、ＳＣ２、ＳＣ３が３台ずつなので、図２に示すように、集合玄関カメラＥＳＣと監視カメラＳＣのカメラ幹線用対応パターンは図２（ａ）、集合玄関カメラＥＳＣ、共用部カメラＣＡＣ及び監視カメラＳＣのカメラ幹線割り当てパターンは図２（ｂ）により、集合玄関カメラ３台、監視カメラ３台、共用部カメラ１台の場合における切替動作パターンは図２（ｃ）のように設定される。したがって、集合玄関機４ａの集合玄関カメラＥＳＣ１と監視カメラＳＣ１、集合玄関機４ｂの集合玄関カメラＥＳＣ２と監視カメラＳＣ２、集合玄関機４ｃの集合玄関カメラＥＳＣ３と監視カメラＳＣ３でそれぞれ組み合わされ順に切り替わるような設定になる。例えば、集合玄関機４ａの集合玄関カメラＥＳＣ１の映像が映し出されている状態で、居室親機１ａのカメラ切替ボタン１３を操作した場合には、集合玄関機４ａの集合玄関カメラＥＳＣ１と監視カメラＳＣ１とが切り替わるようになる。なお、このカメラ組合せテーブルＴＡ１は図２（ａ）に示すように、複数のカメラ切替パターンを予め設定してあるので、ディップスイッチＤＳＷで簡単に変更できる。
【００２５】
このように制御機３のカメラ組合せテーブルＴＡ１が設定された状態において、来訪者が例えば集合玄関機４ａの呼出ボタン４４で居室親機１ａを呼び出すタッチパネル操作をすると、呼出信号が第１の伝送路Ｌ１→制御機３→第１０の伝送路Ｌ１０を介して居室親機１ａに送出されるので、当該居室親機１ａのハンドセット１１のレシーバから呼出音が報音される。なお、図示されていないが、居室親機１ａに呼出音を報音するための呼出スピーカが備えられている場合には、呼出信号はその呼出スピーカから報音されることになる。集合玄関機４ａの呼出ボタン４４で居室親機１ａの呼び出しがなされると、制御機３はカメラ組合せテーブルＴＡ１を参照して集合玄関機４ａの集合玄関カメラＥＳＣ１を動作させ、第１の伝送路Ｌ１を介して受信した当該集合玄関カメラＥＳＣ１で撮像した来訪者の映像の信号を第１０の伝送路Ｌ１０を介して居室親機１ａに送出する。居室親機１ａはその映像をモニタ１２に出画するので、居住者はその画像を確認することができる。
【００２６】
この呼出状態において、居住者が居室親機１ａのカメラ切替ボタン１３をタッチパネル操作すると、そのカメラ切替信号が第１０の伝送路Ｌ１０を介して制御機３に送出される。制御機３はカメラ切替信号に基づきカメラ組合せテーブルＴＡ１を参照してそのカメラ切替信号に対応するカメラ切替パターンを選択するので、動作するカメラを集合玄関カメラＥＳＣ１から監視カメラＳＣ１に切り替える。したがって、制御機３は第８の伝送路Ｌ８を介して受信した監視カメラＳＣ１で撮像した来訪者の映像の信号を第１０の伝送路Ｌ１０を介して居室親機１ａに送出するようになるので、居室親機１ａはその映像をモニタ１２に出画することになる。即ち、居室親機１ａのモニタ１２に出画される画像を、集合玄関カメラＥＳＣ１の映像から監視カメラＳＣ１の映像に切り替えることができる。その後、カメラ切替ボタン１３をタッチパネル操作していけば、集合玄関カメラＥＳＣ１、監視カメラＳＣ１を順次切り替えることができる。
【００２７】
次に、ごみ収集所、駐車場等の共用部を共用部カメラＣＡＣ１でモニタしている場合に、居室親機１のカメラ切替ボタン１３をタッチパネル操作した場合について説明する。
【００２８】
例えば、居住者が共用部をモニタするために居室親機１ｃのモニタ１２で所定のタッチパネル操作を行なうと、共用部モニタ信号が制御機３に送出される。制御機３はこの共用部モニタ信号に基づき共用部カメラＣＡＣ１を動作させるので、共用部カメラＣＡＣ１は撮像した共用部の映像の信号を第５の伝送路Ｌ５を介して制御機３に送出する。制御機３はその映像信号を第１０の伝送路Ｌ１０を介して居室親機１ｃに送出するので、居室親機１ｃはモニタ１２にその画像を出画することになる。この共用部カメラＣＡＣ１からの画像の出画中に、例えば集合玄関機４ｂから呼び出しがあった場合には、制御機３は共用部カメラＣＡＣ１とのラインを強制的に切断すると共に集合玄関機４ｂからの呼出信号を第１０の伝送路Ｌ１０を介して居室親機１ｃに送出するので、当該居室親機１ｃのハンドセット１１のレシーバから呼出音が報音されることになり、さらに、制御機３はその呼び出しに基づきカメラ組合せテーブルＴＡ１を参照して集合玄関機４ｂの集合玄関カメラＥＳＣ２を動作させ、第２の伝送路Ｌ２を介して受信した当該集合玄関カメラＥＳＣ２で撮像した来訪者の映像の信号を第１０の伝送路Ｌ１０を介して居室親機１ｃに送出する。居室親機１ｃはその映像をモニタ１２に出画するので、居住者はその画像を確認することができる。
【００２９】
この呼出状態において、居住者が居室親機１ｃのカメラ切替ボタン１３をタッチパネル操作すると、そのカメラ切替信号が第１０の伝送路Ｌ１０を介して制御機３に送出される。制御機３はカメラ切替信号に基づきカメラ組合せテーブルＴＡ１を参照してそのカメラ切替信号に対応するカメラ切替パターンを選択するので、動作するカメラを集合玄関カメラＥＳＣ２から監視カメラＳＣ２に切り替える。したがって、制御機３は第７の伝送路Ｌ７を介して受信した監視カメラＳＣ２で撮像した来訪者の映像の信号を第１０の伝送路Ｌ１０を介して居室親機１ｃに送出するようになるので、居室親機１ｃはその映像をモニタ１２に出画することになる。即ち、居室親機１ｃのモニタ１２に出画される画像を、集合玄関カメラＥＳＣ２の映像から監視カメラＳＣ２の映像に切り替えることができる。その後、カメラ切替ボタン１３をタッチパネル操作していけば、集合玄関カメラＥＳＣ２、監視カメラＳＣ２を順次切り替えることができる。
【図面の簡単な説明】
【００３０】
【図１】本発明の集合住宅インターホンシステムによる最良な実施の一形態を示す全体説明図。
【図２】本発明の集合住宅インターホンシステムの主構成要素である制御機に備えられるカメラ組合せテーブルの各種パターンを示す説明図。
【符号の説明】
【００３１】
１ａ、１ｂ、１ｃ、・・・……居室親機
１１……ハンドセット（居室通話部）
１２……モニタ
１３……カメラ切替ボタン
３……制御機
３１……制御機ＣＰＵ
４ａ、４ｂ、４ｃ、・・・……集合玄関機
４１……集合玄関マイク（集合玄関通話部）
４２……集合玄関スピーカ（集合玄関通話部）
４４……呼出ボタン（呼出部）
７……パーソナルコンピュータ
８……共用部カメラ
３２……ディップスイッチ
ＥＳＣ１、ＥＳＣ２、ＥＳＣ３、・・・……集合玄関カメラ
ＳＣ１、ＳＣ２、ＳＣ３、・・・……監視カメラ
ＴＡ１……カメラ組合せテーブル
【図１】
2005109804.tif 000003
【図２】
2005109804.tif 000004